【事件の表示】
　平成　６年特許願第　２３９２０号「画像読み取り装置」拒絶査定不服審判事件〔平成　７年　９月　５日出願公開、特開平　７−２３６０３４〕について、次のとおり審決する。
【結　論】
　本件審判の請求は、成り立たない。
【理　由】
１．手続きの経緯
　本願は、平成６年２月２２日に出願されたものであって、平成１６年１２月２０日付けで拒絶査定がされ、これに対して平成１７年２月４日に拒絶査定不服審判が請求されるとともに、平成１７年３月７日に手続補正がなされたものである。
　
２．平成１７年３月７日付けの手続補正についての補正却下の決定
［補正却下の決定の結論］
　平成１７年３月７日付けの手続補正を却下する。
［理由］
（１）補正後の本願発明
　平成１７年３月７日付けの手続補正により、特許請求の範囲の請求項１は、
　
　「【請求項１】読み取られる原稿が載置される原稿ガラスと、前記原稿ガラスに前記原稿を搬送する搬送ローラと、前記原稿ガラスの搬送方向直前の前記搬送ローラの近傍に設けられ前記原稿が搬送されてきているか否かを検知する原稿検知センサーと、前記原稿に記載された画像を読み取る前記原稿の搬送路に沿って移動可能な移動読み取り部と、前記原稿検知センサーの検知結果に応じて前記移動読み取り部の位置を制御する制御部とを備えたことを特徴とする画像読み取り装置。」
と補正された。
　
（２）補正の適否について
　前記補正の適否について判断するに、補正前の特許請求の範囲の請求項１に記載された「載置手段に原稿が載置されているか否かを検知する原稿検知手段」が、補正後の特許請求の範囲の請求項１には記載されていない。
　すなわち、この補正は、特許請求の範囲の請求項１に記載した発明を特定するために必要な事項「載置手段に原稿が載置されているか否かを検知する原稿検知手段」を削除する補正であり、特許請求の範囲の減縮を目的とするものではない。
　そして、平成１７年３月７日付けの手続補正書による前記補正は、請求項の削除、特許請求の範囲の減縮、誤記の訂正、及び明りょうでない記載の釈明のいずれにも該当しない。
　したがって、平成１７年３月７日付けの手続補正書による補正は、特許法第１７条の２第４項各号に規定するいずれの要件をも満たしていないから、平成１７年３月７日付けの手続補正は、特許法第１７条の２第４項の規定に違反するものであり、同法第１５９条第１項で準用する第５３条第１項の規定により却下すべきものである。
　
３．本願発明について
　平成１７年３月７日付けの手続補正は、前記のとおり却下されるから、本願の特許請求の範囲の請求項１に係る発明（以下、「本願発明」という。）は、平成１６年４月１９日付けの手続補正により補正された特許請求の範囲の請求項１に記載された次のとおりのものである。
　
　「【請求項１】原稿を載置する載置手段と、前記載置手段に原稿が載置されているか否かを検知する原稿検知手段と、前記載置された原稿を搬送する搬送手段と、原稿に記載された画像を読み取る原稿の搬送路に沿って移動可能な移動読み取り手段と、前記原稿検知手段の検知結果に応じて前記移動読み取り手段の位置を制御する制御手段とを備えたことを特徴とする画像読み取り装置。」
　
（１）引用例
　原査定の拒絶の理由に引用した特開平４−７０２５６号公報（平成４年３月５日出願公開。以下、「引用例１」という。）には、図面と共に次の各記載がある。
　
（ア）「［産業上の利用分野］
　本発明は、複数の読み取りモ−ドを有する画像読取装置に関する。
［従来の技術］
（中略）
　ＡＤＦ１４を有するこのような装置においては、
画像読み取りモ−ドは、光学走査系である光源ユニット１７を副走査方向（Ａ方向）に移動させながら原稿台ガラス２上に載せられた原稿３を読み取るいわゆる「ブック・モ−ド」
ＡＤＦトレ−２′上の原稿３′を副走査方向（Ｃ方向）に搬送させながら読み取るいわゆる「シ−ト・モ−ド」の２種類がある
　光源ユニット１７は通常ホ−ムポジションａで停止しており、読み取りモ−ドによつて次のように異なつた動作を行う。すなわち、外部から画像読み取り命令が送られると、回路基盤１２の処理回路を用いて、
ブック・モ−ドでは
　一方、
シ−ト・モ−ドでは
　このような動作モ−ドにおいて、ＡＤＦトレ−２′上に複数の原稿を載せて連続して読み取りを行う場合は、前述のように光源ユニット１７をａ→ｂ→ａと移動させる動作を一枚一枚に対して行っていたのでは、非常に時間の無駄がある。そこでこの場合は、光源ユニット１７は、−度ａ→ｂへ移動したら次にブック・モ−ドでの走査命令が外部から送られてくるまでは、光源ユニットＩ７を位置ｂに留めていた。
［発明が解決しようとする課題］
　しかしながら、上記のような従来例では、原稿の読み取り指示が外部装置から送られた時点で、
・ブック・モ−ドで読み取り後、シ−ト・モ−ドで読み取る場合は、読み取り前にホ−ムポジションａから位置ｂへ、
・シ−ト・モ−ドで読み取り後ブック・モ−ドで読み取る場合は、読み取り前に位置ｂからホ−ムポジションａへ、
　それぞれ光源ユニットを移動させる必要があり、この移動時間がかなりの無駄になつており、作業効率上好ましくなかった。
　本発明の目的は、上述の点に鑑み、原稿読取開始を迅速化して作業効率の向上が図れる画像読取装置を提供することにある。
［課題を解決するための手段］
　上記目的を達成するため、本発明の第１の形態は、光学走査系を構成する原稿照明用光源ユニットを有し、画像読み取りモ−ドの種類に応じて原稿載置位置と前記光源ユニットの画像読み取り開始位置が変動する画像読取装置において、原稿載置位置を検知する原稿検知手段と、該原稿検知手段の検知出力に応じて画像読み取りモ−ドを設定するモ−ド設定手段と、該モ−ド設定手段でモ−ドが設定されると直後にその設定されたモ−ドの種類に応じて前記光源ユニットを適正な画像読み取り開始位置に移動する光源ユニット移動制御手段とを具備したことを特徴とする。
　また、上記目的を達成するため、本発明の第２の形態は、光学走査系を構成する原稿照明用光源ユニットを有し、画像読み取りモ−ドの種類に応じて前記光源ユニットの画像読み取り開始位置が変動する画像読取装置において、画像読み取りモ−ドの指示を入力するモ−ド指示入力手段と、該モ−ド指示入力手段から入力されたモ−ド指示に応じて画像読み取りモ−ドを設定するモ−ド設定手段と、該モ−ド設定手段にモ−ドが設定されると略直後にその設定されたモ−ドの種類に応じて前記光源ユニツトを適正な画像読み取り開始位置に移動する光源ユニット移動制御手段とを具備したことを特徴とする。
［作　用］
　
本発明によれば、次回の読み取りモ−ドを常にチェックして、原稿読み取り指示がある前に光源ユニットを適正な位置へ移動させるようにしたので、迅速に原稿読取を開始でき、作業効率の向上が図れる
　なお、下線は、審決において附された。以下、同様。
　
（イ）「［実施例］
以下、図面を参照して本発明の実施例を詳細に説明する。
（１）基本構成
　第１図（Ａ），（Ｂ）は各々本発明実施例の基本構成を示す。
　第１図（Ａ）は本発明の第１の形態に対応する基本構成を示す。ここで、Ａは、光学走査系を構成する原稿照明用光源ユニットを有し、画像読み取りモ−ドの種類に応じて原稿載置位置と光源ユニットの画像読み取り開始位置が変動する画像読取装置において、原稿載置位置を検知する原稿検知手段である。Ｂは原稿検知手段Ａの検知出力に応じて画像読み取りモ−ドを設定するモ−ド設定手段である。Ｃはモ−ド設定手段Ｂでモ−ドが設定されると略直後にその設定されたモ−ドの種類に応じて光源ユニットを適正な画像読み取り開始位置に移動する光源ユニット移動制御手段である。
　第１図（Ｂ）は本発明の第２の形態に対応する基本構成を示す、ここで、Ｄは画像読み取りモ−ドの指示を入力するモ−ド指示入力手段である。Ｅはモ−ド指示入力手段りから入力されたモ−ド指示に応じて画像読み取りモ−ドを設定するモ−ド設定手段である。Ｆはモ−ド設定手段Ｅでモ−ドが設定されると直後にその設定されたモ−ドの種類に応じて光源ユニットを適正な画像読み取り開始位置に移動する光源ユニット移動制御手段である。
（２）第１の実施例
　第２図は本発明の第１の実施例の回路構成を示す。本図において、２４，２７，２９は各々ディジタル入力デ−タの値に応じて抵抗値が可変となる乗算型のＤ／Ａ（ディジタル・アナログ）コンバ−タ（以下、ＤＡＣと称する）である。また、３４はシェ−ディング補正デ−タを記憶しておくＲＡＭ（ランダムアクセスメモリ）、３３，３５は信号の流れを制御するバススイッチ（ＳＷ）、３６は本発明実施例の制御を司るＣＰＵ（中央演算処理装置）である、ＣＰＵ３６としては、例えば第４図に示すような制御手順（プログラム）を格納するＲＯＭ（リ−ドオンリメモリ）、作業用のＲＡＭ等を内蔵した公知のワンチップマイクロコンピュ−タ等が使用できる。
　ＣＣＤ（電荷結合素子）等のラインセンサ７（第３図参照）から出力した画像信号は、ＤＡＣ２４，増幅器２６，ＤＡＣ２９，増幅器３１を通つて増幅され、かつシェ−ディング補正を受けてからＡ／Ｄ（アナログ・ディジタル）コンバ−タ（以下、ＡＤＣと称する）３２によりディジタル信号に変換され、Ｉ／Ｆ１３（第３図参照）を通って外部へディジタル画像信号として出力される。
　なお、本発明実施例の画像読取装置の内部構成は第３図に示す上述の従来例と同様なので、その詳細な説明は省略する。
　また、
画像読み取りモ−ドは
「ブック・モ−ド」と
「シ−ト・モ−ド」の２種類がある
　以下、本発明実施例の動作手順を第４図のフロ−チャ−トを参照して説明する。
　
ステップＳ１で電源がＯＮ（投入）されると、ＣＰＵ３６はステップＳ２でＡＤＦトレ−２′上に原稿が存在するか否かを、原稿検知センサ１６の検知出力に基づいてチェックする。原稿が検知されなければ、ステップＳ３で画像読み取りモ−ドを表す変数ｍｏｄｅを０（ブック・モ−ドを意味するものとする）に設定する。この時、ステップＳ４で光源ユニット１７がブック・モ−ドでの読み取り開始位置であるホ−ムポジションａにあるか否かをチェックし、ホ−ムポジションａにいればそのままステップＳ９へ進み、ホ−ムポジションａになければステップＳ５でホ−ムポジションａへ光源ユニット１７をドライバ３７を介して光学系モ−タ３８により移動を開始させて、ステップＳ９へ進む
　
ステップＳ２で原稿が検知されれば、ステップＳ６でｍｏｄｅを１（シ−ト・モ−ドを意味するものとする）に設定する。この時、ステップＳ７で光源ユニット１７がシ−ト・モ−ドでの読み取り開始位置である位置すにあるか否かをチェックし、位置ｂにいればそのままＳ９へ進み、位置ｂになければステップＳ８で位置すへ光源ユニット１７の移動を開始させて、ステップＳ９へ進む
　ステップＳ９では、外部から画像読み取り以外の指示（例えば、読み取り領域や読み取り倍率の指定、ディザパタ−ンのダウンロ−ド等）があるか否かをチェックし、その指示がなければそのままステップＳｌｌへ進み、その指示があればステップＳ１０でそれを実行した後、ステップＳｌｌへ進む。
　ステツプＳｌｌでは、外部から画像読み取り指示があるか否かをチェックし、その指示がなければ最初のステップＳ２へ戻り、その指示があれば次のステップＳ１２へ進む。
　ステップＳ１２では、ステップＳ５またはステップＳ８で行つた光源ユニット１７の移動が終了したか否かをチェックし、それが終了していればステップＳ１３へ進む。
　ステップＳ１３では、前述のシェ−ディング補正を行う、この時、ｍｏｄｅ＝０（ブック・モ−ド）ならば白色基準板１５を読み取つて全白信号とし、ｍｏｄｅ＝１（シ−ト・モ−ド）ならば白色基準板１５′を読み取つて全白信号とする。
　その後、ステップＳ１４で画像読み取りを行う。この時、ｍｏｄｅ＝０ならば、光源ユニット１７をＡ方向に移動させながら、原稿ガラス台２上の原稿３を読み取り、ステップＳ２へ戻る。一方、ｍｏｄｅ＝１ならば、ＡＤＦトレ−２′上の原稿３′をＣ方向へ移動させながら原稿３′を読み取り、ステップＳ２へ戻る。」（第３頁上右欄第１５行〜第４頁下右欄第７行）
　
（ウ）「（３）第２の実施例
　上述の本発明の第１の実施例では、読み取りモ−ドは原稿の載置状況によつて決定されたが、
読み取りモ−ドが外部装置から指定される場合の本発明の実施例（第２の実施例）について第５図のフロ−チャ−トを用いて以下に述べる
　ステツプＳ１０１で電源ＯＮされると、
ＣＰＵ３６はステップＳ１０２で読み取りモ−ドを表す変数ｍｏｄｅを０（ブック・モ−ド）に初期化し、光源ユニット１７をホ−ムポジションａにセットする
　
上記の読み取りモ−ドの指定があれば、ステップＳ１０４，Ｓ１０７で指定モ−ドの種類のチェックを行う、すなわち、ステップＳ１０４でｍｏｄｅ＝０であればブック・モ−ドであるので、ステップＳ１０５において光源ユニット１７がブック・モ−ドでの読み取り開始位置であるホ−ムポジションａにあるか否かをチェックし、ホ−ムポジションａになければステップＳ１０６で光源ユニット１７をホ−ムポジションａへ移動を開始する。一方、ステップＳ１０７でｍｏｄｅ＝１であればシ−ト・モ−ドであるので、ステップＳ１０８において光源ユニット１７がシ−ト・モ−ドでの読み取り開始位置である位置すにあるか否かをチェックし、位置ｂになければステップＳ１０９で位置ｂへ光源ユニットの移動を開始する。これらの動作の後、ステップＳ１１１へ進む
　ステップＳ１１１〜Ｓ１１６の処理は、先に説明した第４図におけるステップＳ９〜Ｓ１４と同様であるのでその説明を省略する。
　また、以上述べた第１と第２の実施例では、読み取りモ−ドが２種類の場合について述べたが、３種類以上の場合についても同様に適用できることは明らかである。例えば、手差しモ−ドが加わる場合は３種類となる。」（第４頁下右欄第８行〜第５頁上右欄第７行）
　
（エ）「［発明の効果］
　以上説明したように、本発明によれば、
次回の読み取りモ−ドを事前に認識し、そのモ−ドに応じて事前に光源ユニットを適正な位置へ移動させるようにしたので、簡単な制御により、光源ユニットの移動中は他の処理を平行して行うことができる
一連の読み取りシ−ケンスに要する時間を短縮して、全体の処理速度を上げることが可能となる
　
　以上の記載からみて、引用例１には次のような発明が記載されているものと認められる。
　「光学走査系を構成する原稿照明用光源ユニットを有し、画像読み取りモ−ドの種類に応じて原稿載置位置と前記光源ユニットの画像読み取り開始位置が変動する画像読取装置において、
　原稿載置位置を検知する原稿検知手段と、
　該原稿検知手段の検知出力に応じて画像読み取りモ−ドを設定するモ−ド設定手段と、
　該モ−ド設定手段でモ−ドが設定されると直後にその設定されたモ−ドの種類に応じて前記光源ユニツトを適正な画像読み取り開始位置に移動する光源ユニツト移動制御手段とを具備した画像読取装置。」
　
（２）対比
　本願発明と引用例１に記載された発明を対比すると、引用例１に記載された発明の「ＡＤＦトレ−２′」は、本願発明の「原稿を載置する載置手段」に相当し、引用例１に記載された発明の「原稿検知センサ１６」は、本願発明の「原稿検知手段」に相当し、引用例１に記載された発明の「原稿自動送り装置ＡＤＦ１４」は、本願発明の「原稿を搬送する搬送手段」に相当し、引用例１に記載された発明の「光源ユニット１７」は、本願発明の「移動読み取り手段」に相当し、引用例１に記載された発明の「光源ユニット移動制御手段Ｃ，Ｆ」は、本願発明の「移動読み取り手段の位置を制御する制御手段」に相当し、引用例１に記載された発明の「画像読取装置」は、本願発明の「画像読み取り装置」に相当することは、明らかである。
　
　そして、引用例１には、画像読取装置であって該画像読取装置は、原稿３′を載置するＡＤＦトレ−２′（原稿を載置する載置手段に相当）と、ＡＤＦトレ−２′上に原稿３′が存在するか否かを検知する原稿検知センサ１６（原稿検知手段に相当）と、載置された原稿３′を搬送する原稿自動送り装置ＡＤＦ１４（原稿を搬送する搬送手段に相当）と、原稿３′の画像情報を移動しながら読み取る光源ユニット１７（移動読み取り手段に相当）と、光源ユニット１７の位置を制御する光源ユニット移動制御手段Ｃ，Ｆ（移動読み取り手段の位置を制御する制御手段に相当）とを備え、
　原稿検知センサ１６がＡＤＦトレ−２′上に原稿３′の存在を検知した場合、光源ユニット移動制御手段ＣまたはＦは、事前に光源ユニット１７をホームポジションｂに移動させ、反対に原稿検知センサ１６が原稿３′の不存在を検知した場合、光源ユニット移動制御手段ＣまたはＦは、事前に光源ユニット１７をホームポジションａに移動させ、その後シート・モードまたはブック・モードで原稿３′の画像情報を読み取る画像読取装置が記載されているから、本願発明と引用例１に記載された発明とは、
　「原稿を載置する載置手段と、前記載置手段に原稿が載置されているか否かを検知する原稿検知手段と、前記載置された原稿を搬送する搬送手段と、原稿に記載された画像を読み取る移動可能な移動読み取り手段と、前記原稿検知手段の検知結果に応じて前記移動読み取り手段の位置を制御する制御手段とを備えた画像読み取り装置。」
である点で差異はない。
　
　そうすると、本願発明と引用例１に記載された発明とは、
（一致点）
　「原稿を載置する載置手段と、前記載置手段に原稿が載置されているか否かを検知する原稿検知手段と、前記載置された原稿を搬送する搬送手段と、原稿に記載された画像を読み取る移動可能な移動読み取り手段と、前記原稿検知手段の検知結果に応じて前記移動読み取り手段の位置を制御する制御手段とを備えた画像読み取り装置。」
である点で一致し、次の点で相違する。
　
（相違点）
　本願発明の移動読み取り手段は、原稿の搬送路に沿って移動可能であるのに対して、引用例１に記載された発明の光源ユニット１７の移動方向Ａ（第３図参照）は、原稿の搬送路Ｃ（第３図参照）と完全に一致していない点。
　　
（３）判断
　前記相違点について判断するに、(i)原稿を搬送する方向と移動読み取り手段の移動方向を同じ方向とすることは、極めて自然な構成であり、(ii)通常、製作されているＡＤＦを備えた複写機の殆どは、原稿を搬送する方向と移動読み取り手段の移動方向とが同じになるように構成されており、(iii)例えば、原審が拒絶の理由に引用した特開平４−１１３７７７号公報にもその旨が開示されている（図面参照）。以上のことを踏まえると、引用例１に記載された発明に、この周知技術事項を適用して、本願発明の如く構成することは、当業者が適宜なし得ることである。
　
（４）むすび
　以上のとおり、本願発明は、引用例１に記載された発明及び周知技術に基づいて当業者が容易に発明をすることができたものであり、特許法第２９条第２項の規定により特許を受けることができないものであるから、本願は特許を受けることができない。
　よって、結論のとおり審決する。